(57)【要約】      （修正有）【課題】２つ又は３つの独立した空間に仕切られ、炊飯時に割合の異なる水を投入して別々の風味の米飯を炊くことが可能な電気炊飯器の分割式内釜を提供する。【解決手段】電気炊飯器の内釜は、円筒状をなすとともに内部に仕切り板が設けられ、仕切り板は長方形の第１仕切り板１であり、第１仕切り板は電気炊飯器の内釜を２つの独立した第１空間１１と第２空間１２に分割し、第１仕切り板は、径方向において電気炊飯器の内釜内壁に対し接触するよう一体的に成型される。或いは、仕切り板は３つの同一且つ長方形の第２仕切り板であり、第２仕切り板は、電気炊飯器の内釜を３つの独立した第３空間、第４空間及び第５空間に分割し、３つの第２仕切り板は同一直線と交差し、且つ、いずれも径方向において電気炊飯器の内釜内壁に対し接触するよう一体的に成型される。【選択図】図１
0003216778.tif 000002
【実用新案登録請求の範囲】
【請求項１】
電気炊飯器の分割式内釜において、
前記電気炊飯器の内釜は、円筒状をなすとともに内部に仕切り板が設けられ、前記仕切り板は長方形の第１仕切り板（１）であり、前記第１仕切り板（１）は前記電気炊飯器の内釜を２つの独立した第１空間（１１）と第２空間（１２）に分割し、前記第１仕切り板（１）は、径方向において電気炊飯器の内釜内壁に対し接触するよう一体的に成型され、
或いは、前記仕切り板は３つの同一且つ長方形の第２仕切り板（２）であり、前記第２仕切り板（２）は、前記電気炊飯器の内釜を３つの独立した第３空間（２１）、第４空間（２２）及び第５空間（２３）に分割し、３つの前記第２仕切り板（２）は同一直線と交差し、且つ、いずれも径方向において電気炊飯器の内釜内壁に対し接触するよう一体的に成型されることを特徴とする電気炊飯器の分割式内釜。
【請求項２】
更に、取り外し可能に軸方向において電気炊飯器の内釜内壁に設けられる挟板（３）を含み、前記電気炊飯器の内釜内壁には、周方向において内壁に対し一体的に成型される係接部（４）が設けられることを特徴とする請求項１に記載の電気炊飯器の分割式内釜。
【請求項３】
前記挟板（３）には複数の貫通孔が開設されていることを特徴とする請求項２に記載の電気炊飯器の分割式内釜。
【請求項４】
前記仕切り板が第１仕切り板（１）である場合、前記挟板（３）は、軸方向において第１空間（１１）の中央部に設けられ、且つ横断面積が第１空間（１１）と同一の第１挟板（３１）と、軸方向において第２空間（１２）の中央部に設けられ、且つ横断面積が第２空間（１２）と同一の第２挟板（３２）を含み、前記係接部（４）は、周方向において第１空間（１１）の中央部に設けられる第１係接部（４１）と、周方向において第２空間（１２）の中央部に設けられる第２係接部（４２）を含み、
前記仕切り板が３つの同一の第２仕切り板（２）である場合、前記挟板（３）は、軸方向において第３空間（２１）の中央部に設けられ、且つ横断面積が第３空間（２１）と同一の第３挟板（３３）、軸方向において第４空間（２２）の中央部に設けられ、且つ横断面積が第４空間（２２）と同一の第４挟板（３４）、及び軸方向において第５空間（２３）の中央部に設けられ、且つ横断面積が第５空間（２３）と同一の第５挟板（３５）、を含み、前記係接部（４）は、周方向において第３空間（２１）の中央部に設けられる第３係接部（４３）、周方向において第４空間（２２）の中央部に設けられる第４係接部（４４）、及び周方向において第５空間（２３）の中央部に設けられる第５係接部（４５）を含むことを特徴とする請求項２又は３に記載の電気炊飯器の分割式内釜。
【請求項５】
前記挟板（３）は、前記第１仕切り板（１）の上方に設けられる第６挟板（３６）か、或いは、３つの前記第２仕切り板（２）の上方に設けられる第７挟板（３７）であり、前記係接部（４）は、周方向において前記第１仕切り板（１）の上方に設けられる第６係接部（４６）か、或いは、周方向において３つの前記第２仕切り板（２）の上方に設けられる第７係接部（４７）であることを特徴とする請求項２又は３に記載の電気炊飯器の分割式内釜。
【請求項６】
前記第１空間（１１）の横断面積は、第２空間（１２）の横断面積と同一であることを特徴とする請求項１に記載の電気炊飯器の分割式内釜。
【請求項７】
前記第３空間（２１）の横断面積、第４空間（２２）の横断面積及び第５空間（２３）の横断面積はいずれも同一であることを特徴とする請求項１に記載の電気炊飯器の分割式内釜。
【請求項８】
前記第１空間（１１）、第２空間（１２）、第３空間（２１）、第４空間（２２）及び第５空間（２３）の内壁には、いずれも水位目盛線が刻まれていることを特徴とする請求項１に記載の電気炊飯器の分割式内釜。
【考案の詳細な説明】
【技術分野】
【０００１】
本考案は家庭用調理器具の分野に関し、具体的には、電気炊飯器の分割式内釜に関する。
【背景技術】
【０００２】
経済発展に伴って人々の生活水準は向上しており、飲食の質に対する追求も高まるばかりである。こうしたなか、電気炊飯器は便利な調理器具としてだけでなく、個人差のある風味や食感へのニーズも満たさねばならない。特に、高齢者と若者では食感の好みが異なり、高齢者の多くが柔らかい米飯を好むのに対し、若者の多くはやや硬めのものを好む。
【０００３】
しかし、従来の電気炊飯器の内釜はごく普通の筒状体であり、一つの風味のものしか炊飯できない。特に、家庭での食事にあたっては家族全員の食感ニーズを満たすことは不可能である。
【考案の概要】
【考案が解決しようとする課題】
【０００４】
本考案は、従来の電気炊飯器の内釜はごく普通の筒状体にすぎないため、一つの風味のものしか炊飯できず、風味に対する異なるニーズには応えられないとの課題を解決するための電気炊飯器における分割式内釜を提供することを目的とする。
【課題を解決するための手段】
【０００５】
上記の目的を実現すべく、本考案では以下の技術方案を用いる。
【０００６】
電気炊飯器の分割式内釜であって、前記電気炊飯器の内釜は、円筒状をなすとともに内部に仕切り板が設けられ、前記仕切り板は長方形の第１仕切り板であり、前記第１仕切り板は前記電気炊飯器の内釜を２つの独立した第１空間と第２空間に分割し、前記第１仕切り板は、径方向において電気炊飯器の内釜内壁に対し接触するよう一体的に成型され、或いは、前記仕切り板は３つの同一且つ長方形の第２仕切り板であり、前記第２仕切り板は、前記電気炊飯器の内釜を３つの独立した第３空間、第４空間及び第５空間に分割し、３つの前記第２仕切り板は同一直線と交差し、且つ、いずれも径方向において電気炊飯器の内釜内壁に対し接触するよう一体的に成型される。
【０００７】
上記の技術方案によれば、電気炊飯器の内釜が仕切り板によって２つの独立した空間又は３つの独立した空間に仕切られているため、炊飯時に割合の異なる水を投入して別々の風味の米飯（硬度や湿度が異なる）を炊くことが可能である。
【０００８】
電気炊飯器の内釜の空間は１つの制御システムで制御してもよいし、空間ごとにそれぞれの制御システムに対応させてもよい。制御システムが１つのみの場合には、炊飯時に投入する水の割合を把握しておくだけでよい。また、各空間に対応する複数の制御システムが存在する場合には、各空間の制御時間を調整するとともに、各空間の加熱パワーを調整することで異なる風味の米飯を炊くことが可能となる。更には、各空間に異なるものを置き、異なる時間、異なる加熱パワーを設定して異なる食品を調理することも可能である。例えば、異なる加熱時間及び異なる加熱パワーを設定することで、各空間において米飯を炊きながら粥を煮ることもできる。
【０００９】
好ましくは、更に、取り外し可能に軸方向において電気炊飯器の内釜内壁に設けられる挟板を含み、前記電気炊飯器の内釜内壁には、周方向において内壁に対し一体的に成型される係接部が設けられる。
【００１０】
上記の技術方案によれば、内壁に一体的に成型される係接部に対し挟板が係接されるため、挟板よりも上の部分が蒸篭の役割を果たし、電気炊飯器の内釜空間が合理的に利用される。
【００１１】
好ましくは、前記挟板には複数の貫通孔が開設されている。
【００１２】
上記の技術方案によれば、挟板よりも上の部分が蒸篭に相当し、挟板に開設された貫通孔によって底部の熱くなった蒸気が上方へと流動する。
【００１３】
好ましくは、前記仕切り板が第１仕切り板である場合、前記挟板は、軸方向において第１空間の中央部に設けられ、且つ横断面積が第１空間と同一の第１挟板と、軸方向において第２空間の中央部に設けられ、且つ横断面積が第２空間と同一の第２挟板を含み、前記係接部は、周方向において第１空間の中央部に設けられる第１係接部と、周方向において第２空間の中央部に設けられる第２係接部を含み、前記仕切り板が第２仕切り板である場合、前記挟板は、軸方向において第３空間の中央部に設けられ、且つ横断面積が第３空間と同一の第３挟板、軸方向において第４空間の中央部に設けられ、且つ横断面積が第４空間と同一の第４挟板、及び軸方向において第５空間の中央部に設けられ、且つ横断面積が第５空間と同一の第５挟板、を含み、前記係接部は、周方向において第３空間の中央部に設けられる第３係接部、周方向において第４空間の中央部に設けられる第４係接部、及び周方向において第５空間の中央部に設けられる第５係接部を含む。
【００１４】
好ましくは、前記挟板は前記仕切り板の上方に設けられる第６挟板であり、前記係接部は周方向において前記仕切り板の上方に設けられる第６係接部である。
【００１５】
好ましくは、前記第１空間の横断面積は、第２空間の横断面積と同一である。
【００１６】
好ましくは、前記第３空間（２１）の横断面積、第４空間（２２）の横断面積及び第５空間（２３）の横断面積はいずれも同一である。
【００１７】
好ましくは、前記第１空間（１１）、第２空間（１２）、第３空間（２１）、第４空間（２２）及び第５空間（２３）の内壁には、いずれも水位目盛線が刻まれている。
【００１８】
上記の技術方案によれば、電気炊飯器は炊飯時に水位目盛線により水の投入割合を制御する。
【考案の効果】
【００１９】
本考案の方法には以下のような利点がある。即ち、本考案における電気炊飯器の内釜は、仕切り板によって２つの独立した空間又は３つの独立した空間に仕切られているため、炊飯時に割合の異なる水を投入して別々の風味の米飯を炊くことが可能である。
【図面の簡単な説明】
【００２０】
【図１】図１は、電気炊飯器の分割式内釜における実施例１の機構を示す第１の図である。
【図２】図２は、電気炊飯器の分割式内釜における実施例１の構造を示す第２の図である。
【図３】図３は、電気炊飯器の分割式内釜における実施例２の構造を示す第１の図である。
【図４】図４は、電気炊飯器の分割式内釜における実施例２の構造を示す第２の図である。
【図５】図５は、電気炊飯器の分割式内釜における実施例３の構造を示す第１の図である。
【図６】図６は、電気炊飯器の分割式内釜における実施例３の構造を示す第２の図である。
【図７】図７は、電気炊飯器の分割式内釜における実施例４の構造を示す第１の図である。
【図８】図８は、電気炊飯器の分割式内釜における実施例４の構造を示す第２の図である。
【考案を実施するための形態】
【００２１】
以下の実施例は本考案を説明するためのものであり、本考案の範囲を制限するものではない。
【００２２】
同一の部品については同じ符号を用いて示している。なお、以下の記載で使用する「前」、「後」、「左」、「右」、「上」、「下」といった用語は図中の方向を示しており、「底面」と「先端面」、「内」と「外」といった用語は、特定の部材における幾何中心に対して対向或いは離開する方向をそれぞれ示している。
【００２３】
実施例１
【００２４】
図１及び図２を参照して、電気炊飯器の分割式内釜は、内部に設けられる第１仕切り板１と挟板３を含む。第１仕切り板１は電気炊飯器の内釜を２つの独立した第１空間１１と第２空間１２に分割する。第１仕切り板１は、径方向において電気炊飯器の内釜内壁に対し接触するよう一体的に成型されている。電気炊飯器の内釜内壁には、周方向において内壁に対し一体的に成型される係接部４が設けられている。挟板３は、電気炊飯器の内釜内壁における係接部４に対し、取り外し可能に軸方向に係接される。また、挟板３には複数の貫通孔が開設されている。
【００２５】
挟板３は、軸方向において第１空間１１の中央部に設けられ、且つ横断面積が第１空間１１と同一の第１挟板３１と、軸方向において第２空間１２の中央部に設けられ、且つ横断面積が第２空間１２と同一の第２挟板３２を含む。また、係接部４は、周方向において第１空間１１の中央部に設けられる第１係接部４１と、周方向において第２空間１２の中央部に設けられる第２係接部４２を含む。
【００２６】
第１空間１１及び第２空間１２の内壁には、いずれも水位目盛線が刻まれている。
【００２７】
実施例２
【００２８】
図３及び図４を参照して、電気炊飯器の分割式内釜は、内部に設けられる３つの同一の第２仕切り板２及び挟板３を含む。３つの第２仕切り板２は、電気炊飯器の内釜を３つの独立した第３空間２１、第４空間２２及び第５空間２３に分割する。３つの第２仕切り板２は、いずれも径方向において電気炊飯器の内釜内壁に対し接触するよう一体的に成型されている。電気炊飯器の内釜内壁には、周方向において内壁に対し一体的に成型される係接部４が設けられている。挟板３は、電気炊飯器の内釜内壁における係接部４に対し、取り外し可能に軸方向に係接される。また、挟板３には複数の貫通孔が開設されている。
【００２９】
挟板３は、軸方向において第３空間２１の中央部に設けられ、且つ横断面積が第３空間２１と同一の第３挟板３３、軸方向において第４空間２２の中央部に設けられ、且つ横断面積が第４空間２２と同一の第４挟板３４、及び軸方向において第５空間２３の中央部に設けられ、且つ横断面積が第５空間２３と同一の第５挟板３５、を含む。係接部４は、周方向において第３空間２１の中央部に設けられる第３係接部４３、周方向において第４空間２２の中央部に設けられる第４係接部４４、及び周方向において第５空間２３の中央部に設けられる第５係接部４５を含む。
【００３０】
第３空間２１、第４空間２２及び第５空間２３の内壁には、いずれも水位目盛線が刻まれている。
【００３１】
実施例３
【００３２】
図５及び図６を参照して、挟板３は第１仕切り板１の上方に設けられる第６挟板３６であり、係接部４は周方向において第１仕切り板１の上方に設けられる第６係接部４６である、との点において実施例１とは異なる。
【００３３】
実施例４
【００３４】
図７及び図８を参照して、挟板３は３つの第２仕切り板２の上方に設けられる第７挟板３７であり、係接部は周方向において３つの第２仕切り板２の上方に設けられる第７係接部４７である、との点において実施例２とは異なる。
【００３５】
本考案における電気炊飯器の内釜は、仕切り板によって２つの独立した空間又は３つの独立した空間に仕切られているため、炊飯時に割合の異なる水を投入して別々の風味の米飯を炊くことが可能である。
【００３６】
なお、上記では一般的説明及び具体的実施例を用いて本考案につき詳述したが、本考案をベースとした修正又は改良も可能であり、これらは当業者にとって自明である。よって、本考案の精神を逸脱しないことを前提に実施されるこれらの修正又は改良は、いずれも本考案の保護の範囲に属する。
【符号の説明】
【００３７】
１  第１仕切り板
１１  第１空間
１２  第２空間
２  第２仕切り板
２１  第３空間
２２  第４空間
２３  第５空間
３  挟板
３１  第１挟板
３２  第２挟板
３３  第３挟板
３４  第４挟板
３５  第５挟板
３６  第６挟板
３７  第７挟板
４  係接部
４１  第１係接部
４２  第２係接部
４３  第３係接部
４４  第４係接部
４５  第５係接部
４６  第６係接部
４７  第７係接部
【図１】
0003216778.tif 000003
【図２】
0003216778.tif 000004
【図３】
0003216778.tif 000005
【図４】
0003216778.tif 000006
【図５】
0003216778.tif 000007
【図６】
0003216778.tif 000008
【図７】
0003216778.tif 000009
【図８】
0003216778.tif 000010